(57)【特許請求の範囲】
【請求項１】
デッドボルト案内部材３，４によって直進摺動可能に保持されるデッドボルト５に支持軸９を設け、鎌部材８と、デッドボルト５を駆動する連結部材１１の一端を、支持軸９でともに回動可能に支持することを特長とする扉錠のデッドボルトと鎌部材の駆動案内機構において、施錠位置では、連結部材１１の駆動力の作用方向がデッドボルト５の駆動方向とほぼ平行になるようにデッドボルト５と連結部材１１を配置して、デットボルト５の押し込みを防ぐことを特長とする扉錠のデッドボルトと鎌部材の駆動案内機構。
【請求項２】
デッドボルト案内部材３，４に、デッドボルト５を直進摺動可能に保持して案内する壁構造、または直進溝、あるいは両方を設け、さらに、鎌部材８の回動を案内する鎌カム溝３１，４１を備えた請求項１記載の扉錠のデッドボルトと鎌部材の駆動案内機構。
【請求項３】
デッドボルトの施錠位置から開錠位置方向への僅かな移動によって、鎌部材８をデッドボルト５内へ急速に収納できる鎌カム溝３１，４１をデッドボルト案内部材３，４に設けた請求項２記載の扉錠のデッドボルトと鎌部材の駆動案内機構。
【発明の詳細な説明】
【技術分野】
【０００１】
この発明は、蝶番で開閉する扉の施錠用扉錠、特に縦枠幅の狭い扉にも適用できる鎌機構を内蔵して、防犯性を向上した扉錠のデッドボルトと鎌部材の駆動案内機構に関する。
【背景技術】
【０００２】
従来の鎌付き扉錠においては、デッドボルトと鎌部材を互いに分離して連動させているので広い空間を必要とし、また、デッドボルト内に鎌部材を出し入れする構成であっても、鎌部材の回動支持軸をシャーシ本体に設置していて、デッドボルトと鎌部材の作動に余分の空間が必要であり、さらに、デッドボルトの押込み防止部材を別設していたので、開錠には押込み防止部材を解除してデッドボルトを駆動する機構が必要となり、また、デッドボルト内にデッドボルトの異常操作防止機構が配置され、鎌部材を設ける別の配置空間が必要である（例えば特許文献１参照）など、縦枠幅の狭い扉へ適用する小幅の鎌付き扉錠の実現を困難にしている。
【特許文献１】特許第3531985号
【発明の開示】
【発明が解決しようとする課題】
【０００３】
従来の蝶番で開閉する扉に用いる防犯性を向上した鎌付き扉錠には上述の問題点があり、特に狭い縦枠幅をもつ扉へ鎌付き扉錠を取付けて防犯性を高めることが困難であった。
【０００４】
本発明は、蝶番で開閉する扉の狭い幅の縦枠へも取付け可能な小幅の扉錠へ、防犯性を高める鎌機構を組込むためのデッドボルトと鎌部材の駆動案内機構を提供することを目的としている。
【課題を解決するための手段】
【０００５】
本発明は上記目的を達成するために、従来の扉錠ではデッドボルト内に配置していたデッドボルトの異常操作防止機構を、デッドボルト駆動用の連結部材の図示していない駆動部に設置して、デッドボルト内とその周辺に鎌部材を配置する空間を確保し、デッドボルト上に鎌部材の回動支持軸を配置して、デッドボルト内で鎌部材が回動できるように構成し、最小の空間内でデッドボルトと鎌部材が連動して移動することを可能にする。
【０００６】
また、扉錠の施錠位置では、デッドボルトを駆動する連結部材の駆動力の方向が、デッドボルトの移動方向とほぼ平行になるように構成して、押込み防止部材を別設することなく、デッドボルトの押込みを確実に防ぐ。
【０００７】
さらに、デッドボルトの直進摺動を案内するデッドボルト案内部材に、鎌部材の直進と回動を案内する鎌案内カム溝を設けることで、移動案内部材を別設することなく、デッドボルト上に設けた支持軸で回動可能に支持した鎌部材を、最少の構成部品で安定して精度よく、所定の係合位置へデッドボルトとともに案内移動させる。
【発明の効果】
【０００８】
上述したように、本発明のデッドボルトと鎌部材の駆動案内機構は、最少の部品数と最小の占有空間で構成され、組立調整時間、故障、費用などを低減でき、しかも小幅の鎌無し扉錠の空間へ鎌機構を内蔵できるので、従来の大きさを変えることなく小幅の鎌付き扉錠が実現できて、狭い縦枠をもつ扉へも防犯性の高い鎌付き扉錠の取付けが可能になり、さらに、同様の扉へ取付けられた従来の鎌無し扉錠を、鎌付き扉錠へ支障なく容易に交換でき、防犯性を高めることができる。
【発明を実施するための最良の形態】
【０００９】
本発明の実施の形態を図１〜図５により説明する。
【実施例】
【００１０】
図５において、扉錠のデッドボルトと鎌部材の案内駆動機構は、小幅の扉錠シャーシ１とシャーシ蓋２、上デッドボルト案内部材３、下デッドボルト案内部材４、デッドボルト５、鎌部材８、支持軸９、鎌案内ピン１０と、連結部材１１で構成される。
【００１１】
シャーシ１とシャーシ蓋２には、それぞれ上下のデッドボルト案内部材３，４が固定される。シャーシ１は、側面にデッドボルト５が出入りする開口をもち、その開口にデッドボルト枠１２を備える。デッドボルト枠１２は、デッドボルト５が摺動する案内としてもよく、また、上下のデッドボルト案内部材３，４と一体的に構成してもよい。
【００１２】
デッドボルト５は、コ字形断面に形成され、前面の美観を保って異物の侵入を防ぐデッドボルト飾り６がはめ込まれ、デッドボルト飾り取付鋲７で固定される。デッドボルト５とデッドボルト飾り６は、焼結合金などで一体的に構成してもよい。また、デッドボルト５に設けた軸支穴で軸支される支持軸９によって、鎌部材８と連結部材１１をコ字形断面のデッドボルト５の内側に組込んで回動可能に保持する。
【００１３】
デッドボルト５は、上下のデッドボルト案内部材３，４に設けられた立ち壁と直進溝で、デッドボルト５の側壁部と立ち曲げ部がそれぞれ案内されて回転することなく直進する。また、デッドボルト５の立ち曲げ部が係合する上下のデッドボルト案内部材３，４の直進溝は、両端部でデッドボルト５の施錠位置と開錠位置を規定する役割をもつ。
【００１４】
鎌形の鎌部材８は、回動可能に保持される支持軸９の近くに鎌案内ピン１０を備え、上下のデッドボルト案内部材３，４の鎌案内カム溝３１，４１に係合して案内され、デッドボルト５の直進とともに移動して回動する。支持軸９、鎌案内ピン１０と、支持軸９は、上下のデッドボルト案内部材３，４によって挟み込まれて、デッドボルト５が開錠位置と施錠位置間を移動しても脱落しないように配置される。
【００１５】
鎌部材８、支持軸９と、連結部材１１を組込んだデッドボルト５は、シャーシ１とシャーシ蓋２にそれぞれ固定された上下のデッドボルト案内部材３，４で挟み込むだけで、直進摺動可能に保持される。
【００１６】
連結部材１１は、図３（または図１）の施錠位置から、図示していない駆動機構で矢印方向へ動かされると、支持軸９を介してデッドボルト５を開錠方向へ移動し、同時に、鎌案内カム溝３１，４１に鎌案内ピン１０で係合する鎌部材８も、支持軸９の周りで回動させて、デッドボルト５の内側に収納した状態で図４（または図２）の開錠位置へ移動する。連結部材１１が、図４の開錠状態から矢印と逆の方向へ動かされると、デッドボルト５と鎌部材８は開錠状態から上述と逆に図３の施錠状態へ移動される。
【００１７】
デッドボルト案内部材３，４の上下の鎌案内カム溝３１、４１は、連結部材１１が図３の施錠状態で矢印方向へ動かされると、デッドボルト５が支持軸９を介して施錠状態から開錠方向への移動初期の僅かな変位の間に、鎌案内カム溝３１、４１に係合する鎌案内ピン１０の作用で、鎌部材８と扉取付枠のストライカーとの係合を速やかに解除し、鎌部材８をデッドボルト５の内側へ収納して、そのまま直進するデッドボルト５とともに図４の開錠位置へ移動させ、逆に施錠状態への移動終期に鎌部材８を支持軸９の周りで所定の係合位置まで急速に回動させるように形成される。
【００１８】
デッドボルト５が連結部材１１で施錠位置まで押動されると、鎌部材８は鎌案内カム溝３１、４１によって扉取付枠側のストライカーとの係合位置まで回動され、連結部材１１の駆動方向がデッドボルト５の移動方向とほぼ平行になり、デッドボルト５が押込まれるような力を受けても、連結部材１１に回動力を及ぼさずに、連結部材１１を介してその力をデッドボルト案内部材３，４、またはシャーシ１の後壁で受止め、別設の押込み防止部材を付加することなく、デッドボルト５の押込みを確実に防いで固定することができる。
【００１９】
上下のデッドボルト案内部材３，４は、部品精度の維持、生産性向上と、コスト削減のために樹脂材料を使用して成型するのが望ましく、それによってデッドボルト５の直進時の摺動抵抗も減少して滑らかな作動を確保し、かつ、デッドボルト５と直進溝両端部の衝突による不快な衝突音を軽減できる利点ももつ。また、上下のデッドボルト案内部材３，４は、上下の位置精度を確保するために図示していない位置規制用の嵌合い部を互いに設けて、鎌案内カム溝３１、４１と直進溝などの上下の位置ずれが発生しないように構成される。
【図面の簡単な説明】
【００２０】
【図１】施錠状態のデッドボルト位置を示す平面図
【図２】開錠状態のデッドボルト位置を示す平面図
【図３】施錠状態を示す部分斜視図
【図４】開錠状態を示す部分斜視図
【図５】デッドボルトと鎌部材の駆動案内機構を示す分解斜視図
【符号の説明】
【００２１】
１    シャーシ
２    シャーシ蓋
３    上デッドボルト案内部材
３１  鎌案内カム溝
４    下デッドボルト案内部材
４１  鎌案内カム溝
５    デッドボルト
６    デッドボルト飾り
７    デッドボルト飾り取付鋲
８    鎌部材
９    支持軸
１０  鎌案内ピン
１１  連結部材
１２  デッドボルト枠
【図１】
0005120794.tif 000002
【図２】
0005120794.tif 000003
【図３】
0005120794.tif 000004
【図４】
0005120794.tif 000005
【図５】
0005120794.tif 000006